(57)【要約】【課題】患部を適切に撮影することを目的とする。【解決手段】本発明は、本発明の撮像装置は、患部を撮影する撮像手段と、前記撮像手段にて撮影された画像における前記患部のサイズの情報を取得し、前記患部のサイズの情報に基づいて、前記撮像手段により前記患部を撮影するタイミングを制御する、または、ユーザに対して撮影操作を促すタイミングを制御する制御手段と、を有することを特徴とする。【選択図】図４
2020156082.tif 000002
【特許請求の範囲】
【請求項１】
患部を撮影する撮像手段と、
前記撮像手段にて撮影された画像における前記患部のサイズの情報を取得し、前記患部のサイズの情報に基づいて、前記撮像手段により前記患部を撮影するタイミングを制御する、または、ユーザに対して撮影操作を促すタイミングを制御する制御手段と、
を有することを特徴とする撮像装置。
【請求項２】
前記制御手段は、
前記患部のサイズが閾値以上である場合に、前記撮像手段により前記患部を撮影するように制御する、または、ユーザに対して撮影操作を促すように制御することを特徴とする請求項１に記載の撮像装置。
【請求項３】
前記閾値は、同一患者の過去に撮影された前記患部のサイズに基づいた値であることを特徴とする請求項２に記載の撮像装置。
【請求項４】
前記制御手段は、
前記患部のサイズが閾値以上であっても、前記患部のサイズの、その前に取得した前記患部のサイズに対する変動の割合あるいは差分が、所定範囲に収まらない間は、前記撮像手段により前記患部を撮影しないように制御する、または、ユーザに対して撮影操作を促さないように制御することを特徴とする請求項２または３に記載の撮像装置。
【請求項５】
前記制御手段は、
前記患部のサイズが閾値以上であり、かつ、前記患部のサイズの、その前に取得した前記患部のサイズに対する変動の割合あるいは差分が所定範囲に収まる場合には、前記撮像手段により前記患部を撮影するように制御する、または、ユーザに対して撮影操作を促すように制御することを特徴とする請求項４に記載の撮像装置。
【請求項６】
前記制御手段は、
前記患部のサイズが閾値以上ではない場合であっても、一定の期間が経過した場合には、前記撮像手段により前記患部を撮影するように制御する、または、ユーザに対して撮影操作を促すように制御することを特徴とする請求項２ないし５の何れか１項に記載の撮像装置。
【請求項７】
前記制御手段は、
前記患部のサイズの、その前に取得した前記患部のサイズに対する変動の割合あるいは差分が所定範囲に収まる場合には、前記撮像手段により前記患部を撮影するように制御する、または、ユーザに対して撮影操作を促すように制御することを特徴とする請求項１に記載の撮像装置。
【請求項８】
前記制御手段は、
前記撮像手段により撮影された前記患部を含む画像を、通信手段を介して外部に送信し、前記画像を前記外部に送信することに応じて、前記患部のサイズの情報を、前記通信手段を介して前記外部から受信することを特徴とする請求項１ないし７の何れか１項に記載の撮像装置。
【請求項９】
前記制御手段は、
前記通信手段を介して前記画像を前記外部に送信するごとに、前記通信手段を介して前記患部のサイズの情報を前記外部から受信することを特徴とする請求項８に記載の撮像装置。
【請求項１０】
前記制御手段は、
該撮像装置から被写体までの距離情報に基づいて、前記患部を含む被写体に対して該撮像装置が正対していると判定した場合に、前記撮像手段により前記患部を撮影するように制御する、あるいは、ユーザに対して撮影操作を促すように制御することを特徴とする請求項１に記載の撮像装置。
【請求項１１】
前記患部は、褥瘡であり、
前記患部のサイズは、患部領域の面積、患部領域の長径の長さおよび患部領域の短径の長さのうち少なくとも何れか一つであることを特徴とする請求項１ないし１０の何れか１項に記載の撮像装置。
【請求項１２】
患部を撮影する撮像手段と、
前記患部を含む被写体に対して撮像装置が正対している場合に、前記撮像手段により前記患部を撮影するように制御する、または、ユーザに対して撮影操作を促すように制御する制御手段と、
を有することを特徴とする撮像装置。
【請求項１３】
前記制御手段は、
該撮像装置に対して前記患部を含む被写体が正対しているか否かを該撮像装置から被写体までの距離情報に基づいて判定することを特徴とする請求項１２に記載の撮像装置。
【請求項１４】
患部を含む画像を撮像装置から受信する通信手段と、
前記通信手段により受信した前記画像に基づいて、前記患部のサイズを算出し、前記撮像装置が前記患部のサイズの情報に基づいて、前記患部を撮影するタイミングを制御する、または、ユーザに対して撮影操作を促すタイミングを制御するために、前記患部のサイズの情報を、前記通信手段を介して前記撮像装置に送信する制御手段と、
を有することを特徴とする画像処理装置。
【請求項１５】
撮像手段により患部を撮影するステップと
前記撮像手段により撮影された画像における患部のサイズの情報を取得するステップと、
前記患部のサイズの情報に基づいて、前記撮像手段により前記患部を撮影するタイミングを制御する、または、ユーザに対して撮影操作を促すタイミングを制御するステップと、
を有することを特徴とする撮像装置の制御方法。
【請求項１６】
撮像装置に対して患部を含む被写体が正対しているかを判定するステップと、
前記撮像装置に対して前記患部を含む被写体が正対している場合に、撮像手段により前記患部を撮影するように制御する、または、ユーザに対して撮影操作を促すように制御するステップと、
を有することを特徴とする撮像装置の制御方法。
【請求項１７】
患部を含む画像を撮像装置から受信するステップと、
前記受信した前記画像に基づいて、前記患部のサイズを算出するステップと、
前記撮像装置が前記患部のサイズの情報に基づいて、前記患部を撮影するタイミングを制御する、または、ユーザに対して撮影操作を促すタイミングを制御するために、前記患部のサイズの情報を前記撮像装置に送信するステップと、
を有することを特徴とする画像処理装置の制御方法。
【請求項１８】
コンピュータを、請求項１ないし１４の何れか１項に記載の装置の各手段として機能させるためのプログラム。
【請求項１９】
コンピュータを、請求項１ないし１４の何れか１項に記載の装置の各手段として機能させるためのプログラムを記録したコンピュータが読み取り可能な記録媒体。
【発明の詳細な説明】
【技術分野】
【０００１】
本発明は、撮像装置、画像処理装置、制御方法に関するものである。
【背景技術】
【０００２】
人や動物が横になっている状態では体重により接地面と体の接触部位が圧迫されることで褥瘡、いわゆる床ずれが発症することがある。褥瘡を発症した患者は、体圧分散ケアやスキンケア等の褥瘡ケアを施し、定期的に褥瘡を評価および管理していく必要がある。
【０００３】
非特許文献１には、褥瘡評価のツールとして、日本褥瘡学会学術教育委員会が開発した褥瘡状態判定スケール、ＤＥＳＩＧＮ−Ｒ（登録商標）が提案されている。ＤＥＳＩＧＮ−Ｒは、褥瘡をはじめとする傷の治癒過程を評価するためのツールである。このスケールの命名は、深さ（Ｄｅｐｔｈ）、滲出液（Ｅｘｕｄａｔｅ）、大きさ（Ｓｉｚｅ）、炎症・感染（Ｉｎｆｌａｍｍａｔｉｏｎ／Ｉｎｆｅｃｔｉｏｎ）、肉芽組織（Ｇｒａｎｕｌａｔｉｏｎ）、壊死組織（Ｎｅｃｒｏｔｉｃ  ｔｉｓｓｕｅ）の各観察項目の頭文字をとっている。
【０００４】
ＤＥＳＩＧＮ−Ｒは、日常の簡便な評価のための重症度分類用と、詳細に治癒過程の流れが示される経過評価用との２つがある。重症度分類用のＤＥＳＩＧＮ−Ｒは、６つの評価項目を軽度と重度の２つに区分して、軽度はアルファベットの小文字を用いて表し、重度は大文字を用いて表す。
初療時に重症度分類用を用いて評価することで、褥瘡の大まかな状態を把握することができる。どの項目が問題であるかがわかるため、治療方針を容易に決定できる。
【０００５】
一方、経過評価用として、経過評価に加え患者間の重症度比較もできるＤＥＳＩＧＮ−Ｒも定められている。Ｒはｒａｔｉｎｇ（評価・評点）を表す。各項目に異なる重み付けをしており、深さ以外の６項目の合計点（０〜６６点）がその褥瘡の重症度を表す。治療開始後に治療経過を詳細かつ客観的に評価でき、個人の経過評価だけでなく、患者間の重症度比較もできる。
ここで、ＤＥＳＩＧＮ−ＲのＳｉｚｅ評価は、皮膚損傷範囲の長径と短径（長径と直交する最大径）を測定し（ｃｍ）、各々を掛け合わせた数値であるＳｉｚｅを７段階に分類するものである。この７段階とは、ｓ０：皮膚損傷なし、ｓ３：４未満、ｓ６：４以上１６未満、ｓ８：１６以上３６未満、ｓ９：３６以上６４未満、ｓ１２：６４以上１００未満、Ｓ１５：１００以上、である。
【０００６】
ＤＥＳＩＧＮ−Ｒの採点は、非特許文献１に記載があるように、褥瘡の治癒経過を評価し、適切なケア選択を行うために１週間から２週間に１回採点することが推奨されており、褥瘡は定期的に病状を評価し管理していく必要がある。また、褥瘡の病状の変化を確かめるために、評価には正確性が求められる。
現状では、褥瘡のＳｉｚｅ評価は、患部にメジャーを当てて手作業で計測された値に基づいて決定されることが多い。具体的にはまず、皮膚の損傷範囲のうち一番長い直線距離の２点を測定し、それを長径とする。さらに長径と直交する長さを短径とし、長径と短径を掛けた値を褥瘡のＳｉｚｅとしている。
【先行技術文献】
【非特許文献】
【０００７】
【非特許文献１】照林社  褥瘡ガイドブック  第２版  褥瘡予防・管理ガイドライン（第４版）準拠  編集  日本褥瘡学会  ＩＳＢＮ１３  ９７８−４７９６５２３６０８  ２３ページ
【発明の概要】
【発明が解決しようとする課題】
【０００８】
しかしながら、褥瘡を撮影する場合には、寝たりきりの患者を半分起こして背中を撮る等、撮影者が不自然な体位になるために、適切に撮影することができない虞がある。患者の姿勢によって、褥瘡の形および面積が変わってしまうために、撮影の度に、褥瘡の見え方が変わってしまう可能性がある。そのため、褥瘡を撮影した画像を比較しても、経過を正確に比較することが困難な場合があった。なお、これは褥瘡に限られるものではなく、火傷や裂傷を撮影する場合であっても同様である。
本発明は、上述したような問題点に鑑みてなされたものであり、患部を適切に撮影できるようにすることを目的とする。
【課題を解決するための手段】
【０００９】
本発明は、患部を撮影する撮像手段と、前記撮像手段にて撮影された画像における前記患部のサイズの情報を取得し、前記患部のサイズの情報に基づいて、前記撮像手段により前記患部を撮影するタイミングを制御する、または、ユーザに対して撮影操作を促すタイミングを制御する制御手段と、を有することを特徴とする。
【発明の効果】
【００１０】
本発明によれば、患部を適切に撮影することができる。
【図面の簡単な説明】
【００１１】
【図１】画像処理システムの概要を示す図である。
【図２】撮像装置のハードウェア構成を示す図である。
【図３】画像処理装置のハードウェア構成を示す図である。
【図４】画像処理システムの処理を示すフローチャートである。
【図５】患部領域の面積の計算方法を説明するための図である。
【図６】患部の画像データに情報を重畳する方法を説明するための図である。
【図７】患部の画像データに情報を重畳する方法を説明するための図である。
【図８】画像処理システムの処理を示すフローチャートである。
【発明を実施するための形態】
【００１２】
以下、本発明に係る実施形態について図面を参照して説明する。
＜第１の実施形態＞
図１は、画像処理システム１の概要の一例を示す図である。
画像処理システム１は、手持ち可能なポータブルデバイスである撮像装置２００と、画像処理装置３００とを有する。本実施形態では、被写体１０１の患部１０２の病態の一例を、臀部に生じた褥瘡として説明する。
【００１３】
画像処理システム１では、撮像装置２００が被写体１０１の患部１０２をライブビューで撮影し、撮影したライブビューの画像データを画像処理装置３００に送信する。画像処理装置３００は、受信した画像データから患部１０２の患部領域を抽出すると共に患部領域の面積を算出して、算出した面積の情報を撮像装置２００に送信する。撮像装置２００は、受信した患部領域の面積が閾値以上である場合に自動的に患部１０２を撮影する。なお、本実施形態では、患部１０２が褥瘡である場合を例に挙げて説明を行うが、褥瘡に限られず、火傷や裂傷であってもよい。
【００１４】
図２は、撮像装置２００のハードウェア構成の一例を示す図である。
撮像装置２００は、一般的な一眼カメラ、コンパクトデジタルカメラ、あるいは、オートフォーカス機能付きのカメラを備えたスマートフォンやタブレット端末等を用いることができる。
撮像ユニット２１１は、レンズ群２１２、シャッタ２１３、イメージセンサ２１４を有する。レンズ群２１２に含まれる複数のレンズの位置を変更することで、フォーカス位置とズーム倍率を変更することができる。レンズ群２１２は、露出量を調節するための絞りも備える。
【００１５】
イメージセンサ２１４は、光学像を画像データに変換するＣＣＤやＣＭＯＳセンサ等の電荷蓄積型の固体イメージセンサで構成される。レンズ群２１２およびシャッタ２１３を通過した被写体からの反射光はイメージセンサ２１４に結像される。イメージセンサ２１４は被写体像に応じた電気信号を生成し、生成した電気信号に基づく画像データを出力する。
【００１６】
シャッタ２１３は、羽根部材の開閉動作を行うことによって、イメージセンサ２１４への露出や遮光を行い、イメージセンサ２１４の露光時間を制御する。なお、シャッタ２１３は、イメージセンサ２１４の駆動によって露光時間を制御する電子シャッタであってもよい。ＣＭＯＳセンサで電子シャッタを行う場合には、画素ごと、あるいは、複数画素からなる領域ごと（例えばラインごと）に、画素の蓄積電荷量をゼロにするリセット走査を行う。その後、リセット走査を行った画素あるいは領域ごとに、それぞれ所定の時間を経過してから電荷の蓄積量に応じた信号を読み出す走査を行う。
ズーム制御回路２１５は、レンズ群２１２に含まれるズームレンズを駆動するためのモータを制御し、レンズ群２１２の光学倍率を制御する。
【００１７】
測距システム２１６は、被写体までの距離情報を算出する。測距システム２１６は、一眼レフカメラに搭載された一般的な位相差方式の測距センサを用いてもよく、ＴＯＦ（Ｔｉｍｅ  Ｏｆ  Ｆｌｉｇｈｔ）センサを用いてもよい。ＴＯＦセンサは、照射波の送信タイミングと、当該照射波が物体で反射された反射波の受信タイミングとの時間差（または位相差）に基づいて、当該物体までの距離を測定するセンサである。更に、測距システム２１６には、受光素子にＰＳＤ（Ｐｏｓｉｔｉｏｎ  Ｓｅｎｓｉｔｉｖｅ  Ｄｅｖｉｃｅ）を用いたＰＳＤ方式等を用いてもよい。
【００１８】
なお、イメージセンサ２１４が、画素ごとに複数の光電変換領域を有し、それぞれの光電変換領域から得られた画像間の位相差から、画素あるいは領域の位置ごとに距離情報を求めることができる構成であってもよい。
また、測距システム２１６は、画像内の予め定められた所定の１つ、あるいは、複数の測距エリアにおける距離情報を求めるように構成してもよく、画像内の多数の画素あるいは領域の距離情報の分布を示す距離マップを求める構成としてもよい。
また、測距システム２１６は、画像データの高周波成分を抽出して積分し、積分値が最大となるフォーカスレンズの位置を決定するＴＶ−ＡＦまたはコントラストＡＦを行い、このフォーカスレンズの位置から距離情報を得るようにしてもよい。
【００１９】
画像処理回路２１７は、イメージセンサ２１４から出力された画像データに対して、所定の画像処理を施す。画像処理回路２１７は、撮像ユニット２１１から出力された画像データ、あるいは、内部メモリ２２１に記憶されている画像データに対して、ホワイトバランス調整、ガンマ補正、色補間またはデモザイキング、フィルタリング等の様々な画像処理を行う。また、画像処理回路２１７は、画像処理を行った画像データに対して、ＪＰＥＧ等の規格で圧縮処理を行う。
ＡＦ制御回路２１８は、測距システム２１６で得られた距離情報に基づいて、レンズ群２１２に含まれるフォーカスレンズの位置を決定し、フォーカスレンズを駆動するモータを制御する。
【００２０】
通信装置２１９は、無線のネットワークを介して、画像処理装置３００等の外部機器と通信を行うための通信インターフェースである。ネットワークの具体的な一例としては、Ｗｉ−Ｆｉ（登録商標）規格に基づくネットワークが挙げられる。なお、Ｗｉ−Ｆｉを用いた通信はルータを介して実現してもよい。また、通信装置２１９は、ＵＳＢやＬＡＮ等の有線の通信インターフェースにより実現されてもよい。
【００２１】
システム制御回路２２０は、ＣＰＵ（Ｃｅｎｔｒａｌ  Ｐｒｏｃｅｓｓｉｎｇ  Ｕｎｉｔ）を有し、内部メモリ２２１に記憶されたプログラムを実行することによって、撮像装置２００の全体制御を行う。また、システム制御回路２２０は、撮像ユニット２１１、ズーム制御回路２１５、測距システム２１６、画像処理回路２１７およびＡＦ制御回路２１８等の制御を行う。なお、システム制御回路２２０はＣＰＵを有する場合に限られず、ＦＰＧＡやＡＳＩＣ等を用いてもよい。また、システム制御回路２２０は、所定の撮影条件に基づき、撮影条件に合致した場合はユーザにより操作部２２４を介して撮影指示をした場合と同様の内部信号を発生させる。
【００２２】
内部メモリ２２１は、例えば、フラッシュメモリやＳＤＲＡＭ等の書き換え可能なメモリを用いることができる。内部メモリ２２１は、撮像装置２００の動作に必要な画像撮影時のピント位置の情報等の各種設定情報、撮像ユニット２１１が撮影した画像データ、画像処理回路２１７により画像処理された画像データ等を一時的に記憶する。また、内部メモリ２２１は、通信装置２１９が画像処理装置３００と通信して受信した、画像データや被写体のサイズに関する情報等の解析データを一時的に記憶してもよい。
【００２３】
外部メモリ２２２は、撮像装置２００に装着可能、あるいは、撮像装置２００に内蔵された不揮発性の記録媒体である。外部メモリ２２２は、例えば、ＳＤカードやＣＦカード等を用いることができる。外部メモリ２２２は、画像処理回路２１７により画像処理された画像データ、通信装置２１９が画像処理装置３００と通信して受信した画像データや解析データ等を記録する。また、外部メモリ２２２は、再生時には記録された画像データが読み出され、撮像装置２００の外部に出力することも可能である。
【００２４】
表示装置２２３は、例えば、ＴＦＴ（Ｔｈｉｎ  Ｆｉｌｍ  Ｔｒａｎｓｉｓｔｏｒ）液晶ディスプレイ、有機ＥＬディスプレイ、ＥＶＦ（電子ビューファインダ）等を用いることができる。表示装置２２３は、内部メモリ２２１に一時的に記憶されている画像データや外部メモリ２２２に記録された画像データを表示したり、撮像装置２００の設定画面等を表示したりする。
操作部２２４は、撮像装置２００に設けられたボタン、スイッチ、キー、モードダイアル、あるいは、表示装置２２３に兼用されるタッチパネル等で構成される。ユーザによるモード設定や撮影指示等の指令は、操作部２２４を経由して、システム制御回路２２０に通知される。
【００２５】
共通バス２２５は、撮像装置２００の各構成部の間で信号の送受信を行うための信号線である。
【００２６】
図３は、画像処理装置３００のハードウェア構成の一例を示す図である。
画像処理装置３００は、ＣＰＵ３１０、記憶装置３１２、通信装置３１３、出力装置３１４、補助演算装置３１７等を備える。
ＣＰＵ３１０は演算装置３１１を備える。ＣＰＵ３１０は、記憶装置３１２に記憶されたプログラムを実行することで画像処理装置３００の全体制御を行う。
【００２７】
記憶装置３１２は主記憶装置３１５（ＲＯＭやＲＡＭ等）と補助記憶装置３１６（磁気ディスク装置やＳＳＤ（Ｓｏｌｉｄ  Ｓｔａｔｅ  Ｄｒｉｖｅ）等）を備える。
通信装置３１３は、無線のネットワークを介して、撮像装置２００等の外部機器と通信を行うための無線通信モジュールである。
出力装置３１４は、画像処理装置３００に接続されたディスプレイ、プリンタあるいは外部ネットワークに、演算装置３１１が加工したデータや記憶装置３１２に記憶されたデータ等を出力する。
【００２８】
補助演算装置３１７はＣＰＵ３１０の制御の下で動作する補助演算用ＩＣである。補助演算装置３１７としては、ＧＰＵ（Ｇｒａｐｈｉｃ  Ｐｒｏｃｅｓｓｉｎｇ  Ｕｎｉｔ）等を用いることができる。ＧＰＵは、元々は画像処理用のプロセッサであるが、複数の積和演算器を有し、行列計算を得意としているため、信号学習用の処理を行うプロセッサとしても用いられることができる。したがって、ＧＰＵは深層学習を行う処理において用いられることが一般的である。補助演算装置３１７には、例えば、ＮＶＩＤＩＡ社のＪｅｔｓｏｎＴＸ２  ｍｏｄｕｌｅを用いることができる。また、補助演算装置３１７として、ＦＰＧＡやＡＳＩＣ等を用いてもよい。補助演算装置３１７は、画像データから患部領域の抽出処理を行う。
【００２９】
なお、画像処理装置３００が備えるＣＰＵ３１０および記憶装置３１２は１つであっても複数であってもよい。すなわち、少なくとも１以上のＣＰＵと少なくとも１つの記憶装置とが接続されており、少なくとも１以上のＣＰＵが少なくとも１以上の記憶装置に記憶されたプログラムを実行した場合に、画像処理装置３００は後述する各機能を実行する。また、画像処理装置３００はＣＰＵ３１０を有する場合に限られず、ＦＰＧＡやＡＳＩＣ等を用いてもよい。
【００３０】
図４は、画像処理システム１の処理の一例を示すフローチャートである。
図４において、Ｓ４０１〜Ｓ４２０が撮像装置２００による処理であり、Ｓ４３１〜Ｓ４５６が画像処理装置３００による処理である。図４のフローチャートは、撮像装置２００と画像処理装置３００とが、無線ＬＡＮ規格であるＷｉ−Ｆｉ規格のネットワークにそれぞれ接続することで開始される。
【００３１】
Ｓ４３１では、画像処理装置３００は、接続する撮像装置２００の探索処理を行う。
Ｓ４０１では、撮像装置２００は、画像処理装置３００による探索処理に対して応答処理を行う。なお、ネットワークを介して機器を探索する技術としては、ＵＰｎＰ（Ｕｎｉｖｅｒｓａｌ  Ｐｌｕｇ  ａｎｄ  Ｐｌａｙ）が用いられる。ここでＵＰｎＰにおいて個々の装置の識別はＵＵＩＤ（Ｕｎｉｖｅｒｓａｌｌｙ  Ｕｎｉｑｕｅ  ＩＤｅｎｔｉｆｉｅｒ）によって行われる。
【００３２】
Ｓ４０２では、撮像装置２００は、画像処理装置３００との間で通信可能に接続されることで、ライブビュー処理を開始する。具体的には、撮像ユニット２１１が画像データを生成し、画像処理回路２１７が生成された画像データに対してライブビュー表示用の画像データを生成するための現像処理を行う。撮像ユニット２１１および画像処理回路２１７が処理を繰り返し行うことで、所定のフレームレートのライブビュー画像が表示装置２２３に表示される。
【００３３】
Ｓ４０３では、測距システム２１６が被写体までの距離情報を求め、ＡＦ制御回路２１８が被写体にピントが合うようにレンズ群２１２の駆動制御を行うＡＦ処理を開始する。なお、測距システム２１６がＴＶ−ＡＦまたはコントラストＡＦでピント位置の調整を行った場合には、ピントを合わせた状態のフォーカスレンズの位置から、ピントを合わせた像の被写体１０１までの距離情報を求める。ピントを合わせる位置は、画像データの中央に位置する被写体であってもよく、撮像装置２００に対して最も至近側の位置に存在する被写体であってもよい。測距システム２１６は被写体の距離マップを得ている場合には、距離マップから注目すべき領域を推定し、推定した領域に対してピントを合わせるようにしてもよい。また、測距システム２１６は既に画像処理装置３００によってライブビュー画像における患部領域の位置が特定されている場合には、特定されている位置に対してピントを合わせるようにしてもよい。撮像装置２００は、後述するＳ４１３でレリーズボタンが押下されるまで、ライブビュー画像の表示およびＡＦ処理を繰り返し行う。
【００３４】
Ｓ４０４では、画像処理回路２１７は、ライブビュー画像の何れかの画像データに対して現像および圧縮処理を行い、例えばＪＰＥＧ規格の画像データを生成する。画像処理回路２１７は、圧縮処理された画像データに対してリサイズ処理を行い、画像データのサイズを小さくする。
Ｓ４０５では、通信装置２１９は、リサイズ処理された画像データと、測距システム２１６が求めた距離情報を取得する。また、通信装置２１９は、必要に応じて、ズーム倍率の情報、リサイズ処理された画像データのサイズ（ピクセル数）の情報を取得する。
【００３５】
Ｓ４０６では、通信装置２１９は、取得した画像データおよび距離情報を含む１以上の情報を無線通信により画像処理装置３００に送信する。ここで、送信する画像データのサイズが大きいほど無線通信に時間が掛かる。したがって、システム制御回路２２０は許容される通信時間に基づいて、Ｓ４０４において画像処理回路２１７がリサイズ処理する画像データのサイズを決定する。ただし、画像データのサイズが小さすぎると、画像処理装置３００が後述するＳ４４２において患部領域の抽出処理の精度に影響が出てしまう。したがって、システム制御回路２２０は、通信時間に加えて、患部領域の抽出処理の精度に基づいて、画像データのサイズを決定する。なお、Ｓ４０４〜Ｓ４０６までの処理は、フレームごとに行ってもよいし、数フレームに１回の割合で行うようにしてもよい。
【００３６】
次に、画像処理装置３００による処理に移る。
Ｓ４４１では、画像処理装置３００の通信装置３１３は、撮像装置２００の通信装置２１９から送信された画像データおよび距離情報を含む１以上の情報を受信する。
Ｓ４４２では、画像処理装置３００のＣＰＵ３１０および補助演算装置３１７は、受信した画像データから患部領域を抽出する。
【００３７】
患部領域を抽出する手法として、深層学習による意味的領域分割を行う。すなわち、予め学習用の高性能コンピュータに、複数の実際の褥瘡の患部領域の画像を教師データとしてニューラルネットワークのモデルを学習させて、学習済モデルを生成する。補助演算装置３１７は、高性能コンピュータから学習済モデルを取得して、学習済モデルに基づいて画像データから褥瘡のエリアを領域推定する。ニューラルネットワークのモデルの一例として、深層学習を用いたセグメンテーション・モデルである完全畳み込みネットワーク（ＦＣＮ（Ｆｕｌｌｙ  Ｃｏｎｖｏｌｕｔｉｏｎａｌ  Ｎｅｔｗｏｒｋ））を適用することができる。深層学習による推論は、積和演算の並列実行を得意とする補助演算装置３１７により処理される。ただし、深層学習による推論は、ＦＰＧＡやＡＳＩＣ等が実行してもよい。なお、他の深層学習のモデルを用いて領域分割を実現してもよい。また、セグメンテーション手法は深層学習に限られず、例えば、グラフカット、領域成長、エッジ検出、統治分割法等を用いてもよい。更に、補助演算装置３１７の内部で、褥瘡の患部領域の画像を教師データとしたニューラルネットワークのモデルの学習を行ってもよい。
【００３８】
Ｓ４４３では、ＣＰＵ３１０の演算装置３１１は、抽出された患部領域のサイズに関する情報として、患部領域の面積を計算する。
図５は、患部領域の面積の計算方法を説明するための図である。
撮像装置２００が一般的なカメラである場合には、図５に示すようにピンホールモデルとして扱うことができる。入射光５０１はレンズ２１２ａのレンズ主点を通り、イメージセンサ２１４の撮像面で受光する。ここで、レンズ群２１２を厚みのない単一のレンズ２１２ａに近似した場合には、前側主点と後側主点の２つの主点は一致するとみなせる。イメージセンサ２１４の平面に像が結像するようにレンズ２１２ａのピント位置を調整することで、撮像装置２００は被写体５０４に焦点を合わせることができる。撮像面からレンズ主点までの距離Ｆである焦点距離５０２を変更することで、画角θ５０３が変更され、ズーム倍率が変わる。このとき、撮像装置２００の画角θ５０３と被写体距離５０５の関係から、幾何学的に合焦面における被写体の幅５０６が決定される。被写体の幅５０６は、三角関数を用いて計算される。すなわち、被写体の幅５０６は、焦点距離５０２に応じて変化する画角θ５０３と、被写体距離５０５との関係によって決定する。被写体５０４の幅を画像データのライン上のピクセル数で除算することにより、画像データ上の１ピクセルに対応する合焦面上の長さが取得される。
【００３９】
演算装置３１１は、Ｓ４４２において抽出された患部領域から得られる領域のピクセル数と、画像上の１ピクセルに対応する合焦面上の長さから得られる１ピクセルの面積の積として、患部領域の面積を計算する。なお、焦点距離５０２と被写体距離５０５の組み合わせに応じた画像上の１ピクセルに対応する合焦面上の長さを予め求めておいて、テーブルデータとして予め用意してもよい。なお、画像処理装置３００は、撮像装置２００に応じたテーブルデータを予め記憶してもよい。
演算装置３１１が正しく患部領域の面積を求めるには、被写体５０４が平面であり、かつ、この平面が光軸に対して垂直であることが前提となる。
【００４０】
Ｓ４４４では、演算装置３１１は、患部領域を抽出する対象とした画像データに対して、患部領域の抽出結果を示す情報と、患部領域のサイズに関する情報とを重畳した画像データを生成する。
図６は、患部領域の抽出結果を示す情報、および、患部領域のサイズに関する情報を画像データに重畳する方法を説明するための図である。
図６（ａ）に示す画像６０１は、重畳処理前の画像データを表示した一例であり、被写体１０１および患部１０２を含む。図６（ｂ）に示す画像６０２は、重畳処理後の画像データを表示した一例である。
【００４１】
図６（ｂ）に示す画像６０２の左上隅には、黒地の背景に白色の文字で、患部領域の面積の文字列６１２を表示したラベル６１１が重畳される。ここでは、患部領域のサイズに関する情報は、文字列６１２であって、演算装置３１１により計算された患部領域の面積である。なお、ラベル６１１の背景色と文字列の色は見やすいものであれば黒、白に限られない。また、透過量を設定してαブレンドすることで、ラベル６１１が重なった部分の画像をユーザが確認できるようにしてもよい。
【００４２】
また、画像６０２には、Ｓ４４２において抽出された患部領域の推定エリアを示す指標６１３が重畳される。推定エリアを示す指標６１３と、画像６０１の元となる画像データをαブレンドすることで、患部領域の面積を算出する元となる推定エリアが妥当か否かをユーザが確認することができる。推定エリアを示す指標６１３の色は、被写体の色と異なる色にすることが好ましい。また、αブレンドの透過率の範囲は、推定エリアと元の患部１０２とが識別できる範囲であることが好ましい。なお、患部領域の推定エリアを示す指標６１３が重畳して表示されていれば、ラベル６１１を表示しなくても、ユーザは推定エリアが妥当か否かを確認することができるためにＳ４４３を省略してもよい。
【００４３】
Ｓ４４５では、画像処理装置３００の通信装置３１３は、患部領域の抽出結果を示す情報と、患部領域のサイズに関する情報とを無線通信により撮像装置２００に送信する。本実施形態では、通信装置３１３は、Ｓ４４４において生成された画像データと、患部領域のサイズに関する情報である患部領域の面積とを撮像装置２００に送信する。
【００４４】
次に、撮像装置２００による処理に戻る。
Ｓ４０７では、撮像装置２００の通信装置２１９は、画像処理装置３００から送信されたデータがある場合にはデータを受信する。
Ｓ４０８では、システム制御回路２２０は、画像データと、患部領域のサイズに関する情報である患部領域の面積とを受信したか否かを判定する。受信した場合にはＳ４０９に進み、受信していない場合にはＳ４１０に進む。
【００４５】
Ｓ４０９では、表示装置２２３は受信した画像データを所定時間表示する。ここでは、表示装置２２３は、図６（ｂ）に示す画像６０２を表示する。このように、ライブビュー画像に対して、患部領域の抽出結果を示す情報等を重畳して表示することで、ユーザは患部領域の面積および推定エリアが妥当であるか否かを確認した上で、記録用の撮影に進むことができる。なお、本実施形態では、患部領域の推定エリアを示す指標６１３と、患部領域の面積を表示したラベル６１１とを表示する場合について説明したが、何れか一方だけを表示してもよいし、いずれも表示しない（Ｓ４０９を省略する）ようにしてもよい。
【００４６】
Ｓ４１０は、システム制御回路２２０が撮影条件を満たすか否かに応じて撮影するタイミングを制御する処理であり、Ｓ４１１およびＳ４１２を含む。撮像装置２００に対して、患部領域が傾いていると、患部領域の面積を正しく算出することができない。また、撮影の度に、撮像装置２００に対する患部領域の傾きの程度が異なると、後で撮影した画像を比較した場合に、大きさがどのように変化したのかを正しく判断することができない。しかも、寝たきりの患者を常に同じ姿勢にすることは難しく、撮影者が、患部に対して撮像装置２００を正対させることは容易ではない。そこで、Ｓ４１１およびＳ４１２では、撮像装置２００が患部領域に対して正対しているか否かを推定する処理を行う。
【００４７】
Ｓ４１１では、システム制御回路２２０は、受信した患部領域の面積と予め定めた閾値とを比較し、面積が閾値以上であるか否かを判定する。ここで、閾値は、初期値として予め外部メモリ２２２に記録されている。撮像装置２００のシステム制御回路２２０は起動時に外部メモリ２２２から閾値を読み出す。閾値には、例えば、褥瘡として認識されるサイズに相当する面積が設定される。ただし、閾値は、ユーザが後から自由に変更して設定できる。したがって、撮影対象の被写体ごとに閾値を変更して設定してもよい。なお、Ｓ４１１において面積が閾値以上ではない場合には、Ｓ４０４に戻り、上述したＳ４０４以降の処理を行う。
【００４８】
Ｓ４１１で面積が閾値以上であると判定した場合にはＳ４１２に進み、最後に受信した面積と、その直前に受信した面積との比率あるいは差分を求める。撮影者が撮像装置２００を患部領域に対して正対させようとして、撮像装置２００を動かしている間は、最後に受信した面積と、その直前に受信した面積は大きく変化する。具体的には、撮像装置２００が患部領域に対して傾いている状態から、撮像装置２００が患部領域に対して正対する状態に近づくにつれて、患部領域の面積は増加することになる。反対に、撮像装置２００が患部領域に対して正対している状態から、撮像装置２００が患部領域に対して傾いている状態に近づくにつれて、患部領域の面積は減少することになる。撮像装置２００が患部領域に対して正対に近い状態となれば、患部領域の面積の変動は小さくなる。そこで、Ｓ４１２では、最後に受信した面積と、その直前に受信した面積の比率あるいは差分が、所定範囲に収まった場合に、撮像装置２００が患部領域に対して正対したと推定し、Ｓ４１３に進む。Ｓ４１２において面積が閾値以上ではない場合には、Ｓ４０４に戻り、上述したＳ４０４以降の処理を行う。
【００４９】
Ｓ４１３では、システム制御回路２２０は、レリーズ信号を発行する。ここでは、レリーズ信号は、撮像装置２００の操作部２２４に含まれるレリーズボタンをユーザが押下して撮影指示したときに発行される信号と同等な信号であり、ユーザがレリーズボタンを押下したように擬似的に発行する。つまり、撮影者が撮像装置２００を患部領域に対して正対させようとして撮像装置２００を動かしている間に、正対に近い状態となったタイミングになった時点で、システム制御回路２２０がレリーズ信号を発行することができる。
【００５０】
Ｓ４１４では、測距システム２１６が被写体までの距離情報を求め、ＡＦ制御回路２１８が被写体にピントが合うようにレンズ群２１２の駆動制御を行うＡＦ処理を行う。この処理は、Ｓ４０３と同様の処理である。Ｓ４０３でＡＦ処理は行われているので、このＳ４１４の処理は省略されても構わない。
Ｓ４１５では、撮像ユニット２１１は、レリーズ信号が発行されたタイミングで、記録用の静止画の撮影を行い、画像データを生成する。
【００５１】
Ｓ４１６では、画像処理回路２１７は、生成された画像データに対して現像および圧縮処理を行い、例えばＪＰＥＧ規格の画像データを生成する。画像処理回路２１７は、圧縮処理された画像データに対してリサイズ処理を行い、画像データのサイズを小さくする。このとき、患部領域を計測する際の精度を優先するために、リサイズ処理した画像データのサイズは、Ｓ４０４においてリサイズ処理した画像データのサイズよりも大きいか、同じ大きさであることが好ましい。リサイズ処理された画像データのサイズとして、例えば、１４４０ピクセル×１０８０ピクセルで４ビットＲＧＢカラーの場合には略４．４５メガバイトになる。ただし、リサイズ処理された画像データのサイズは、この場合に限られない。
【００５２】
Ｓ４１７では、通信装置２１９は、リサイズ処理された画像データと、Ｓ４１４において測距システム２１６が求めた距離情報を取得する。また、通信装置２１９は、必要に応じて、ズーム倍率の情報、リサイズ処理された画像データのサイズ（ピクセル数）の情報を取得する。
Ｓ４１８では、通信装置２１９は、取得した画像データおよび距離情報を含む１以上の情報を無線通信により画像処理装置３００に送信する。
【００５３】
次に、画像処理装置３００による処理に移る。
Ｓ４５１では、画像処理装置３００の通信装置３１３は、撮像装置２００の通信装置２１９から送信された画像データおよび距離情報を含む１以上の情報を受信する。
Ｓ４５２では、画像処理装置３００のＣＰＵ３１０および補助演算装置３１７は、受信した画像データから患部領域を抽出する。この処理の詳細は、Ｓ４４２と同様であるために説明を省略する。
【００５４】
Ｓ４５３では、ＣＰＵ３１０の演算装置３１１は、抽出された患部領域のサイズに関する情報として、患部領域の面積を計算する。この処理の詳細は、Ｓ４４３と同様であるために説明を省略する。
Ｓ４５４では、演算装置３１１は画像解析を行う。具体的には、演算装置３１１はＳ４５３で求めた画像上の１ピクセルに対応する合焦面上の長さに基づいて、抽出した患部領域の長径と短径の長さ、および、患部領域に外接する矩形の面積を算出する。褥瘡の評価指標のＤＥＳＩＧＮ−Ｒの中で、褥瘡のサイズは長径と短径の積の値を計測することが定められている。本実施形態の画像処理システム１において、長径と短径の解析を行うことで、今までＤＥＳＩＧＮ−Ｒで計測されたデータとの互換性を確保することができる。ＤＥＳＩＧＮ−Ｒは厳密な定義がないため、数学的には複数の長径と短径の算出方法が考えられる。
【００５５】
長径と短径の算出方法の第１例として、演算装置３１１が患部領域に外接する矩形のうち、面積が最小となる矩形（Ｍｉｎｉｍｕｍ  ｂｏｕｎｄｉｎｇ  ｒｅｃｔａｎｇｌｅ）を算出する。次に、この矩形の長辺と短辺の長さを算出し、長辺の長さを長径とし、短辺の長さを短径として算出する。次に、Ｓ４５３で求めた画像上の１ピクセルに対応する合焦面上の長さに基づいて矩形の面積を算出する。
長径と短径の算出方法の第２例として、演算装置３１１が長径として最大のキャリパー長である最大フェレ径を選択し、短径として最小フェレ径を選択する。なお、長径として最大のキャリパー長である最大フェレ径を選択し、短径として最大フェレ径の軸に直交する方向で計測した長さを選択してもよい。
長径と短径の計算方法は、従来の計測結果との互換性に基づいて任意の方法を選択することができる。
【００５６】
なお、患部領域の長径と短径の長さおよび矩形の面積を算出する処理は、Ｓ４４１において受信した画像データに対しては実行されない。ライブビュー中は、患部領域の抽出結果をユーザが確認できるようにすることを目的としているために、Ｓ４４１において受信した画像データに対してＳ４５４に相当する画像解析の処理を省くことで、処理時間を削減している。
【００５７】
Ｓ４５５では、演算装置３１１は、患部領域を抽出する対象とした画像データに対して、患部領域の抽出結果を示す情報と、患部領域のサイズに関する情報とを重畳した画像データを生成する。
図７は、患部領域の抽出結果を示す情報と、患部領域の長径と短径を含む患部領域のサイズに関する情報とを画像データに重畳する方法を説明するための図である。患部領域のサイズに関する情報は複数、想定されるために図７（ａ）〜（ｃ）を参照して説明する。
【００５８】
図７（ａ）に示す画像７０１は、長径、短径の算出方法としてＭｉｎｉｍｕｍ  ｂｏｕｎｄｉｎｇ  ｒｅｃｔａｎｇｌｅを用いたものである。画像７０１の左上隅には、患部領域のサイズに関する情報として、図６（ｂ）と同様に、黒地の背景に白色の文字で患部領域の面積の文字列６１２を表示したラベル６１１が重畳される。
また、画像７０１の右上隅には、患部領域のサイズに関する情報として、Ｍｉｎｉｍｕｍ  ｂｏｕｎｄｉｎｇ  ｒｅｃｔａｎｇｌｅに基づいて算出した長径および短径を表示したラベル７１２が重畳される。ラベル７１２には、文字列７１３と文字列７１４とが含まれる。文字列７１３は長径の長さ（単位はｃｍ）を表し、文字列７１４は短径の長さ（単位はｃｍ）を表す。また、画像７０１は、患部領域にＭｉｎｉｍｕｍ  ｂｏｕｎｄｉｎｇｒｅｃｔａｎｇｌｅを表す矩形の枠７１５が重畳される。矩形の枠７１５を長径および短径の長さと一緒に重畳することで、ユーザは画像中のどの箇所の長さが計測されているのかを確認することができる。
【００５９】
また、画像７０１の右下隅には、スケールバー７１６が重畳される。スケールバー７１６は患部１０２のサイズを測定するためのものであり、距離情報に応じて画像データに対するスケールバーのサイズが変更される。具体的には、スケールバー７１６は、Ｓ４５３で得られた画像上の１ピクセルに対応する合焦面上の長さに基づいて、１ｃｍ単位で５ｃｍまでの目盛りを刻んだバーであり、撮像装置２００の合焦面上すなわち被写体上のサイズに対応したものである。ユーザはスケールバー７１６を参照することにより、被写体もしくは患部１０２の大きさを把握することができる。
【００６０】
また、画像７０１の左下隅には、上述したＤＥＳＩＧＮ−ＲのＳｉｚｅ評価の指標７１７が重畳される。ＤＥＳＩＧＮ−ＲのＳｉｚｅ評価の指標７１７では、皮膚損傷範囲の、長径と短径（長径と直交する最大径）を測定し（単位はｃｍ）、各々を掛け合わせた数値から上述した７段階に分類されている。本実施形態では長径と短径をそれぞれの算出方法によって出力された値に置き換えて得られる指標７１７が重畳される。
【００６１】
図７（ｂ）に示す画像７０２は、長径として最大フェレ径を用い、短径として最小フェレ径を用いたものである。画像７０２の右上隅には、長径の長さを示す文字列７２３および短径の長さを示す文字列７２４を表示したラベル７２２が重畳される。また、画像７０２の患部領域には、最大フェレ径の計測位置に相当する補助線７２５と、最小フェレ径に相当する補助線７２６が表示される。補助線７２５、７２６を長径および短径の長さを示す文字列７２３、７２４と一緒に重畳することで、ユーザは画像中のどの箇所の長さが計測されているのかを確認することができる。
【００６２】
図７（ｃ）に示す画像７０３は、長径が図７（ｂ）に示す画像７０２と同じであるが、短径が最小フェレ径ではなく最大フェレ径の軸に直交する方向で計測した長さとして計測したものである。画像７０２の右上隅には、長径の長さを示す文字列７２３および短径の長さを示す文字列７３４を表示したラベル７３２が重畳される。また、画像７０３の患部領域には、最大フェレ径の計測位置に相当する補助線７２５と、最大フェレ径の軸に直交する方向で計測した長さに相当する補助線７３６が表示される。
【００６３】
なお、図７（ａ）〜（ｃ）に示した、画像データに重畳する各種情報は、何れか１つまたは複数の組み合わせであってもよく、ユーザが表示する情報を選択できるようにしてもよい。また、図６および図７に示す画像は一例であって、患部１０２および患部領域のサイズに関する情報の表示形態、表示位置、サイズ、フォント、フォントサイズ、フォントの色、あるいは、位置関係等は様々な条件に応じて変更できる。
【００６４】
Ｓ４５６では、画像処理装置３００の通信装置３１３は、患部領域の抽出結果を示す情報と、患部領域のサイズに関する情報とを撮像装置２００に送信する。本実施形態では、通信装置３１３は、Ｓ４５５において生成した画像データを撮像装置２００に送信する。
【００６５】
次に、撮像装置２００による処理に移る。
Ｓ４１９では、撮像装置２００の通信装置２１９は、画像処理装置３００から送信された画像データを受信する。
Ｓ４２０では、表示装置２２３は受信した画像データを所定時間表示する。ここでは、表示装置２２３は、図７に示す画像７０１〜７０３の何れかを表示し、所定時間が経過することでＳ４０２の処理に戻る。
【００６６】
このように、本実施形態によれば、システム制御回路２２０は、取得した患部領域のサイズの情報に基づいて患部を撮影するタイミングを制御する。したがって、患部領域のサイズが適切になるような撮像装置２００の姿勢になったときに患部を自動的に撮影するように制御できるために、ユーザが不自然な体位で撮影する場合でも患部を適切に撮影することができる。
【００６７】
具体的には、システム制御回路２２０は、新たに受信した患部領域のサイズが閾値以上であり、かつ、新たに受信した患部領域の面積と直前に受信した患部領域の面積の変動が所定範囲である場合に、レリーズ信号を発行することで患部を自動的に撮影するように制御する。すなわち、患部領域のサイズが閾値以上である場合には、撮像装置２００の姿勢が患部を撮影するのに適切な姿勢であると想定できる。また、患部領域の面積の変動が所定範囲内に収まっている場合には、撮像装置２００が患部領域に対して正対に近い状態であると想定できる。したがって、このような条件を満たす場合に患部を自動的に撮影するように制御することで、ユーザは患部を適切に撮影することができる。なお、撮像装置２００は、患部領域のサイズが閾値以上であるか否かを判定せずに、患部領域の面積の変動が所定範囲内に収まっているか否かのみを判定して、撮像装置２００の姿勢が患部を撮影するのに適切な姿勢であると想定する構成としてもよい。
【００６８】
なお、上述したＳ４０９における画像データを表示する処理は、ユーザが手動で撮影指示を行う場合に必要な処理であるために、システム制御回路２２０がレリーズ信号を発行する場合には、Ｓ４０９を省略してもよい。同様に、Ｓ４４４における重畳した画像データを生成する処理を省略してもよい。また、Ｓ４４５のうち患部領域のサイズに関する情報を送信し、画像データを送信しないようにしてもよい。
【００６９】
また、本実施形態の画像処理システム１では、ユーザが撮像装置２００で患部を撮影することにより、撮像装置２００の表示装置２２３に患部領域のサイズに関する情報が表示される。したがって、褥瘡の患部領域のＳｉｚｅ評価する場合に、医療関係者の負荷、および、評価をされる患者側の負荷を軽減することができる。また、患部領域のサイズの算出をプログラムに基づいて実行することで、医療関係者が手動で計測する場合に比べて個人差を抑制することができ、褥瘡のＳｉｚｅ評価の正確性を向上することができる。また、褥瘡の規模をより的確に表すための指標としての患部領域の面積を算出して表示することができる。なお、ライブビュー表示の際に、ユーザが患部領域の推定エリアが妥当であるかを確認する機能はなくてもよく、Ｓ４４１〜Ｓ４４５を省略してもよい。
【００７０】
また、画像処理装置３００は、患部領域の抽出結果を示す情報、患部領域のサイズに関する情報、および、これらの情報を重畳した画像データを記憶装置３１２に記憶してもよい。この場合、出力装置３１４は、接続されたディスプレイ等の出力機器に、記憶装置３１２に記憶した何れか１つ以上の情報、あるいは、画像データを出力することができる。ディスプレイに画像を表示することで、患部を撮影するユーザとは別のユーザが、リアルタイム、あるいは、過去に得られた患部の画像データとサイズに関する情報を得ることができるようになる。画像処理装置３００の演算装置３１１は、出力装置３１４からディスプレイに送信する画像データに対して、任意に位置および角度を変更するスケールバー等を表示する機能を設けてもよい。このようなスケールバーを表示することで、ディスプレイを見ているユーザが患部領域の任意の箇所の長さを計測することが可能となる。このスケールバーの目盛りの幅は、Ｓ４５１で受信した距離情報、ズーム倍率の情報、および、リサイズ処理された画像データのサイズ（ピクセル数）の情報等に基づいて自動調整されることが望ましい。
【００７１】
なお、画像処理装置３００は、据え置き型であって常に電源が供給されることが好ましい。常に電源が供給されることで、画像処理装置３００は、任意のタイミングで患部の画像データとサイズに関する情報を受信することができると共に、バッテリー切れを防止することができる。また、据え置き型は一般的に記憶容量が多いため、画像処理装置３００は多数の画像データを記憶することができる。
また、本実施形態では褥瘡の評価指標としてＤＥＳＩＧＮ−Ｒ（登録商標）を用いているが、これに限定されるものではない。Ｂａｔｅｓ−Ｊｅｎｓｅｎ  Ｗｏｕｎｄ  Ａｓｓｅｓｓｍｅｎｔ  Ｔｏｏｌ（ＢＷＡＴ）、Ｐｒｅｓｓｕｒｅ  Ｕｌｃｅｒ  Ｓｃａｌｅ  ｆｏｒ  Ｈｅａｌｉｎｇ（ＰＵＳＨ）、Ｐｒｅｓｓｕｒｅ  Ｓｏｒｅ  Ｓｔａｔｕｓ  Ｔｏｏｌ（ＰＳＳＴ）などの、他の評価指標を用いてもよい。
【００７２】
（第１の変形例）
上述した図４のフローチャートでは、Ｓ４１１において面積が閾値以上ではないと判定された場合にはＳ４１２に進まずに、Ｓ４０４以降の処理が繰り返される。しかしながら、患部領域が必ずしも一定以上のサイズであるとは限られない。したがって、図４のフローチャートのＳ４１１をＮｏに進んだ後に、システム制御回路２２０は面積が閾値以上ではない状態で一定の期間が経過したか否かを判定するようにしてもよい。一定の期間が経過していない場合にはＳ４０４に戻り、一定の期間が経過した場合には、患部領域のサイズが小さいと推定してＳ４１２に進む。なお、一定の期間とは、例えば、５秒、１０秒等の時間で規定してもよく、Ｓ４０８においてデータを受信した回数で規定してもよい。このように、一定の期間が経過した場合にレリーズ信号を発行することで、患部領域のサイズが一定以上のサイズでない場合であっても患部を撮影することができる。
【００７３】
（第２の変形例）
上述した図４のフローチャートでは、Ｓ４１０の処理が撮影条件を満たすか否かに応じて撮影するタイミングを制御する処理について説明したが、撮影条件を満たすか否かに応じてユーザに対して撮影操作を促すタイミングを制御する処理であってもよい。具体的には、Ｓ４１２からＳ４１３に進んだ場合、システム制御回路２２０はユーザに対して撮影操作を促すように通知してもよい。例えば、システム制御回路２２０は、音声やアラームにより通知したり、表示装置２２３に表示して通知したりすることで、ユーザに対して操作部２２４に含まれるレリーズボタンを押下するように促す。なお、本変形例によれば、Ｓ４１３の後に、システム制御回路２２０は操作部２２４に含まれるレリーズボタンをユーザが実際に押下したか否かを判定して、押下した場合にＳ４１４以降の処理に進む。
【００７４】
＜第２の実施形態＞
第１の実施形態では、患部領域の面積と比較する閾値が予め定められている場合について説明した。本実施形態では、閾値に履歴情報を用いる場合について説明する。
具体的には、Ｓ４１１において、システム制御回路２２０は、受信した患部領域の面積と予め定めた閾値とを比較する。面積が閾値以上である場合にはＳ４１２に進み、Ｓ４１２において面積の変動が所定範囲内である場合には、Ｓ４１３に進む。Ｓ４１３では、システム制御回路２２０はレリーズ信号を発行すると共に、受信した面積を外部メモリ２２２に記録する。次回、患部を撮影する際に図４のフローチャートのＳ４１１に進んだ場合には、システム制御回路２２０は、外部メモリ２２２に記録した面積を閾値として読み出す。なお、システム制御回路２２０は、読み出した閾値にマージンを設定することで閾値としてもよい。例えば、読み出した閾値から一定のマージンで減算した値を閾値としたり、前回からの撮影の間隔が長いほど大きいマージンで減算した値を閾値としたりすることができる。
【００７５】
また、システム制御回路２２０は、面積を記録する場合に、記録する面積と患者情報とを関連付けて記録することが好ましい。例えば、撮像装置２００または画像処理装置３００は、ユーザが撮像装置２００または画像処理装置３００に患者情報を入力したり選択したりすることで患者情報を取得することができる。画像処理装置３００は患者情報を取得した場合には、Ｓ４４５において患者情報を面積と関連付けて撮像装置２００に送信することで、撮像装置２００は面積と患者情報とを関連付けて記録することができる。
【００７６】
患者情報を用いる場合、Ｓ４１１では、システム制御回路２２０は患者情報に関連付けられた面積を読み出して閾値とし、受信した面積と比較する。閾値以上であった場合にはＳ４１２に進み、Ｓ４１２で面積の変動が所定範囲内であった場合には、Ｓ４１３において、システム制御回路２２０はレリーズ信号を発行すると共に、受信した面積を患者情報に関連付けて、更新して記録する。なお、患者情報に関連付けられた面積がない場合には、システム制御回路２２０は予め定められた閾値（初期値）と、受信した面積とを比較するか、あるいは、ユーザに手動撮影を行うよう表示装置２２３に表示を行わせるようにする。
【００７７】
なお、画像処理装置３００が患者情報に関連付けて面積を記録してもよい。例えば、撮像装置２００が患部を撮影する前に、患者が付帯する患者情報を含むバーコードタグ等を撮影し、上述したＳ４０６において送信するときにバーコードタグの画像データも画像処理装置３００に送信する。画像処理装置３００は、バーコードタグの画像データから患者情報を取得して、患者情報に関連付けられた面積を閾値として読み出して、上述したＳ４４５において送信するときに撮像装置２００に送信する。したがって、撮像装置２００のシステム制御回路２２０は、受信した閾値に基づいて撮影タイミングを制御することで、患者に応じた閾値を設定できる。更に、画像処理装置３００のＣＰＵ３１０は、患者情報に関連付けて記録している面積を、Ｓ４５３において計算した患部領域の面積に更新してもよい。
【００７８】
このように本実施形態によれば、過去に撮影された患部領域の面積に基づいて閾値を設定して、受信した面積と比較する。通常、褥瘡は経時変化により大きさが変化するので、過去に撮影された患部領域の面積に基づいて閾値を設定することで最適な条件で患部を撮影することができる。また、同一患者の過去に撮影された患部領域の面積に基づいて閾値を設定することで、患者に応じた最適な条件で患部を撮影することができる。さらに、閾値の精度が向上するため、Ｓ４１１において患部領域の面積が閾値以上であった場合には、Ｓ４１２を省略してＳ４１３に進み、レリーズ信号を発行する構成としてもよい。
【００７９】
＜第３の実施形態＞
第１の実施形態では、患部領域の面積の変動が所定範囲内である場合に、患部領域に対して撮像装置２００が正対していると判定した。本実施形態では、距離情報を用いて、患部を含む被写体に対して撮像装置２００が正対しているか否かを判定し、正対していればレリーズ信号を発行する場合について説明する。
図８は、画像処理システム１の処理の一例を示すフローチャートである。図４と同様の処理は、同一のステップ番号を付して適宜、説明を省略する。具体的に、図８のフローチャートは、図４のフローチャートのＳ４１０をＳ８１０に変更したものである。
Ｓ８１０は、システム制御回路２２０が被写体に対する撮像装置２００の姿勢に基づいて撮影するタイミングを制御する処理であり、Ｓ８１１を含む。
【００８０】
Ｓ８１１では、システム制御回路２２０は、患部を含む被写体に対して撮像装置２００が正対しているか否かを判定する。上述したように、撮像装置２００の測距システム２１６は、被写体までの距離情報、あるいは、距離情報の分布を示す距離マップを算出できる。任意の３点以上の距離情報もしくは距離マップ情報を用いることで面としての情報を取得することができる。該当箇所の距離情報が一致、あるいは、所定以内の差分であった場合に、被写体と撮像装置２００が正対していると判定することができる。
したがって、システム制御回路２２０は、測距システム２１６が算出した距離情報あるいは距離マップ情報に基づいて、被写体に対して撮像装置２００が正対しているか否かを判定することができる。正対していると判定した場合にはＳ４１３に進み、正対していないと判定した場合にはＳ４０４に戻る。
【００８１】
このように本実施形態によれば、被写体に対する撮像装置２００の姿勢に基づいて撮影するタイミングを制御する。したがって、被写体に対して撮像装置２００が正対している場合にレリーズ信号を発行することができるので患部を適切に撮影することができる。
【００８２】
以上、本発明を種々の実施形態および変形例と共に説明したが、本発明は上述した実施形態および変形例にのみ限定されるものではなく、本発明の範囲内で変更等が可能であり、上述した実施形態および変形例を適時、組み合わせてもよい。
例えば、第１の実施形態と第３の実施形態を組み合わせてもよい。具体的には、システム制御回路２２０は、距離情報に基づいて被写体に対して撮像装置２００が正対しているか否かを判定して、正対していると判定した場合に、受信した面積と閾値とを比較して、閾値以上である場合にレリーズ信号を発行してもよい。また、システム制御回路２２０は、受信した面積が閾値以上であるか否かを判定して、閾値以上である場合に、距離情報に基づいて撮像装置２００と被写体が正対しているか否かを判定して、正対している場合にレリーズ信号を発行してもよい。
【００８３】
また、上述した実施形態では、患部領域のサイズに関する情報が患部領域の面積である場合について説明したが、この場合に限られず、患部領域の面積、患部領域の長径の長さ、および、患部領域の短径の長さの少なくとも何れか一つであってもよい。患部領域のサイズに関する情報を、患部領域の長径の長さまたは患部領域の短径の長さにする場合には、Ｓ４０８では、画像処理装置３００から患部領域の長径の長さまたは患部領域の短径の長さを取得する。Ｓ４１１では、システム制御回路２２０は、患部領域の長径の長さまたは患部領域の短径の長さが予め定めた閾値以上であるか否かを判定することができる。
【００８４】
＜その他の実施形態＞
本発明は、上述の実施形態の１以上の機能を実現するプログラムを、ネットワーク又は記録媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８５】
１：画像処理システム
２００：撮像装置
２１１：撮像ユニット
２１６：測距システム
２１９：通信装置
３００：画像処理装置
３１０：ＣＰＵ
３１３：通信装置
【図１】
2020156082.tif 000003
【図２】
2020156082.tif 000004
【図３】
2020156082.tif 000005
【図４】
2020156082.tif 000006
【図５】
2020156082.tif 000007
【図６】
2020156082.tif 000008
【図７】
2020156082.tif 000009
【図８】
2020156082.tif 000010